(57)【要約】      （修正有）【課題】安価な構成で、暗室条件下における顕微鏡装置の調整作業を円滑に実施可能とする顕微鏡システムを提供することを目的とする。【解決手段】顕微鏡システム１００は、標本Ｓからの光を検出する光検出器４を有する顕微鏡本体１０と、顕微鏡本体１０を補助照明光により照明する補助照明装置１と、を備え、補助照明光は、光検出器４の検出波長域外の光であることを特徴とする。【選択図】図１
2018205655.tif 000002
【特許請求の範囲】
【請求項１】
標本からの光を検出する検出器を有する顕微鏡装置と、
前記顕微鏡装置を補助照明光により照明する補助照明装置と、を備え、
前記補助照明光は、前記検出器の検出波長域外の光である
ことを特徴とする顕微鏡システム。
【請求項２】
特定の波長域の光を光路上から除外する波長選択フィルタと、前記波長選択フィルタを介した標本からの光を検出する検出器と、を有する顕微鏡装置と、
前記顕微鏡装置を補助照明光により照明する補助照明装置と、を備え、
前記特定の波長域は、前記補助照明光の波長域を含む
ことを特徴とする顕微鏡システム。
【請求項３】
請求項１または請求項２に記載の顕微鏡システムにおいて、
前記補助照明装置は、前記顕微鏡装置において使用者が触れる部分を照明する
ことを特徴とする顕微鏡システム。
【請求項４】
請求項３に記載の顕微鏡システムにおいて、
前記顕微鏡装置は、前記標本からの光を取り込む対物レンズと、前記対物レンズと前記標本との相対的な位置を変更する位置調整機構と、を有し、
前記補助照明装置は、前記位置調整機構を前記補助照明光により照明する
ことを特徴とする顕微鏡システム。
【請求項５】
請求項４に記載の顕微鏡システムにおいて、
前記顕微鏡装置は、前記対物レンズに付属する補正環を有し、
前記補助照明装置は、前記補正環を前記補助照明光により照明する
ことを特徴とする顕微鏡システム。
【請求項６】
請求項１乃至請求項５のいずれか１項に記載の顕微鏡システムにおいて、
前記顕微鏡装置は、前記標本を照明光により照明する照明装置を有し、
前記照明光は、前記検出器の検出波長域外の光である
ことを特徴とする顕微鏡システム。
【請求項７】
請求項２に記載の顕微鏡システムにおいて、
前記顕微鏡装置は、前記標本を照明光により照明する照明装置を有し、
前記波長選択フィルタにおける、前記特定の波長域は、前記照明光の波長域を含む
ことを特徴とする顕微鏡システム。
【請求項８】
請求項６または請求項７に記載の顕微鏡システムにおいて、
前記照明光の波長域と前記補助照明光の波長域は、少なくとも部分的に重なる
ことを特徴とする顕微鏡システム。
【発明の詳細な説明】
【技術分野】
【０００１】
暗室条件での観察を行う顕微鏡の顕微鏡システムに関する。
【背景技術】
【０００２】
一般に、顕微鏡装置を用いた標本からの微弱光の観察は、ノイズの原因となる他の光の影響を排するため暗室条件下で行われる。また、観察前の各種調整作業に関し、顕微鏡装置に対する標本のおおまかな位置決めは明室条件で実行することができるが、標本の正確なピント位置、補正環の位置等を調整する作業は、ノイズの影響を排して検出された微弱光の画像を見ながら行う必要があるため、暗室条件下で行われることが望ましい。
【０００３】
一方、暗室条件下では、ピント位置の調整を行う機構（ハンドル等）や補正環を十分に視認することができず、上記調整作業が難しいものとなる。例えば、暗室条件下でハンドル等の位置を手探りで探している際に誤って顕微鏡装置に触れることで標本の位置自体がずれてしまうことが頻繁に起き、調整作業が思うように進まなくなる。
【０００４】
以下に、暗室条件下で観察を行う際の技術を開示する文献を幾つか示す。
【０００５】
特許文献１では、顕微鏡装置の一部に発光する蓄光材を備えた構成が示されている。
【０００６】
特許文献２では、顕微鏡装置を覆う暗箱について示されている。暗箱は、可視光（検出光路上からはダイクロイックミラーにより除外される）を透過する窓部が設けられており、暗箱内での標本や顕微鏡装置の各構成の位置関係を把握することができる。
【０００７】
特許文献３では、補正環の調整を電動で行う構成について示されている。
【先行技術文献】
【特許文献】
【０００８】
【特許文献１】特開２０００−２５８６９２号公報
【特許文献２】特開２００６−０７１５４４号公報
【特許文献３】特開２０１２−１１８５５３号公報
【発明の概要】
【発明が解決しようとする課題】
【０００９】
一方、蓄光材を設ける構成では、蓄光材から発せられた光が物体により散乱することで散乱光となり、暗室条件下であっても、その散乱光が画像にノイズとして検出される可能性がある。そのため、実際にはノイズの影響を排して微弱光を観察できる状態（暗室条件）ではなくなる可能性がある。
【００１０】
また、暗箱で顕微鏡装置を覆う構成では、ハンドルや補正環を手動で調整する際には、暗箱を開けて行う必要がある。そのため、ノイズの影響を排して微弱光を観察できる状態（暗室条件）での調整作業が行えない。
【００１１】
即ち、特許文献１、２の技術内容によれば、装置や標本の位置関係を把握することはできるものの、暗室条件下での円滑な各種調整作業を実現するものではない。
【００１２】
また、電動制御される補正環に対応する対物レンズの種類は限られているとともに、電動制御される補正環は、手動で調整を行う補正環と比較してコストがかかる。従って、手動で調整を行う機構を有する顕微鏡装置において暗室条件下で調整作業を行うことができる技術が望まれる。
【００１３】
以上の実情を踏まえ、安価な構成で、暗室条件下における顕微鏡装置の調整作業を円滑に実施可能とする顕微鏡システムを提供することを目的とする。
【課題を解決するための手段】
【００１４】
本発明の一態様における顕微鏡システムは、標本からの光を検出する検出器を有する顕微鏡装置と、前記顕微鏡装置を補助照明光により照明する補助照明装置と、を備え、前記補助照明光は、前記検出器の検出波長域外の光であることを特徴とする。
【００１５】
本発明の別の一態様における顕微鏡システムは、特定の波長域の光を光路上から除外する波長選択フィルタと、前記波長選択フィルタを介した標本からの光を検出する検出器と、を有する顕微鏡装置と、前記顕微鏡装置を補助照明光により照明する補助照明装置と、を備え、前記特定の波長域は、前記補助照明光の波長域を含むことを特徴とする顕微鏡システム。
【発明の効果】
【００１６】
本発明の顕微鏡システムによれば、安価な構成で、暗室条件下における顕微鏡装置の調整作業を円滑に実施することができる。
【図面の簡単な説明】
【００１７】
【図１】第１の実施形態における顕微鏡システムを示す。
【図２】第１の実施形態における顕微鏡本体が有する光学系の構成を示す。
【図３】対物レンズに付属する補助照明装置の構成例を示す。
【図４】補助照明装置の別の構成例を示す。
【図５】第１の実施形態の変形例における顕微鏡本体が有する光学系の構成を示す。
【図６】第２の実施形態における顕微鏡システムを示す。
【図７】第２の実施形態における顕微鏡本体が有する光学系の構成を示す。
【図８】第２の実施形態の変形例における顕微鏡本体が有する光学系の構成を示す。
【図９】第３の実施形態における顕微鏡システムを示す。
【図１０】第３の実施形態における顕微鏡本体が有する光学系の構成を示す。
【図１１】第３の実施形態の変形例における顕微鏡本体が有する光学系の構成を示す。
【発明を実施するための形態】
【００１８】
以下、本発明の第１の実施形態における顕微鏡システム１００について説明する。顕微鏡システム１００は、暗室条件下での標本の観察を行うための顕微鏡システムである。
【００１９】
図１は、顕微鏡システム１００を示す図であり、顕微鏡システム１００は、対物レンズ２を含む光学系３（図１では不図示）、光検出器４、ステージ５、ハンドル６、ハンドル１３を備えた顕微鏡装置である顕微鏡本体１０と、補助照明装置１と、制御装置１１と、モニタ１２と、を備えている。
【００２０】
標本Ｓは、生物発光により光を発する標本であり、ステージ５に固定される。
【００２１】
図２は、顕微鏡本体１０が有する光学系３の構成を示す図である。光学系３は、対物レンズ２と結像レンズ７とを含む。対物レンズ２が取り込んだ光（標本Ｓからの光等）は、結像レンズ７を介して光検出器４へと導光される。光検出器４で検出した光情報は、制御装置１１で画像処理され、モニタ１２へ表示される。
【００２２】
ハンドル６は、ステージ５の位置を対物レンズ２の光軸方向（Ｚ方向）に動かす機構である。使用者がハンドル６を時計回り方向または反時計周り方向に回転させることで、ステージ５が移動し、対物レンズ２に標本Ｓを近づける方向または遠ざける方向へ移動させる。即ち、ハンドル６は、対物レンズ２とステージ５（標本Ｓ）との相対的な位置を変更する位置調整機構であり、ハンドル６を操作することで標本Ｓのピント調整が行われる。なお、ステージ５を固定とし、対物レンズ２をハンドル６の操作により移動させる構成としてもよい。
ハンドル１３は、Ｚ方向と直交する平面（ＸＹ平面）でステージ５の位置を動かす機構である。ハンドル１３を操作することで、対物レンズ２に対する標本Ｓ（ステージ５）の相対的な位置の調整を行うことができ、ハンドル１３は位置調整機構として機能する。
【００２３】
また、補正環２ａは、図３の（ａ）に示されるように対物レンズ２に付属する形で配置されている。使用者が補正環２ａを回転させることで、対物レンズ２の球面収差を補正することができる。補正環２ａは、標本Ｓの種類や標本Ｓを固定するカバーガラスの厚さに応じて調節される。
【００２４】
補助照明装置１は、可視光である補助照明光を出力し、標本Ｓを含む顕微鏡本体１０を照明する。具体的には、補助照明装置１は、使用者が標本Ｓの観察に際して触れる顕微鏡本体１０の部分や標本Ｓを照明する。使用者が触れる部分とは、例えば、モニタ１２へ映った画像を確認しながら調整を行う作業である、球面収差の調整やピント調整を実行する、補正環２ａやハンドル６といった構成である。
【００２５】
補助照明装置１は、ハンドル６の周りに取り付けられ、ハンドル６の位置を目視可能とする。また、補助照明装置１は、対物レンズ２に取り付けられ、対物レンズ２及び補正環２ａの位置を目視可能とする。尚、顕微鏡システム１００では、補助照明装置１は顕微鏡本体１０に複数配置されるが、補助照明装置１の配置数は特に限定されるものではなく、一つの補助照明装置１によって顕微鏡本体１０を照明してもよい。また、顕微鏡本体１０に取り付けられる構成に限らず、スタンドライトや、蛍光灯に波長選択用のフィルタを付加するような顕微鏡本体１０の外部に配置される構成としてもよく、その場合、顕微鏡本体周りに配置する構成が減るため、その他の観察に関連する構成をより自由に配置することができる。補助照明装置１は、上述したように、使用者が調整作業等で触れる顕微鏡本体１０の部分や標本Ｓを補助照明光により照明するものであればよい。
【００２６】
また、補助照明装置１が出力する補助照明光は、光検出器４の検出波長域外の波長域の光であることを特徴としている。即ち、補助照明装置１が顕微鏡本体１０を照明することによって、補助照明光が散乱等により対物レンズ２により取り込まれたとしても、光検出器４で検出されることがない。例えば、補助照明装置１として４４０ｎｍ未満の波長帯域を有する補助照明光を出力するＬＥＤが用いられ、光検出器４として４４０ｎｍ以下に受光感度のないイメージセンサが用いられる。
【００２７】
本実施形態で検出される光は、標本Ｓの生物発光により発生する微弱な光であるため、他の光（蛍光灯や太陽光等）がノイズとして検出されることを防ぐため暗室条件下で観察が行われる。標本Ｓの画像を確認しながら実行する、正確なピント調整、補正環の調整等の作業も暗室条件下で行うことを要する。
【００２８】
補助照明装置１を有する構成によれば、補助照明装置１がハンドル６や補正環２ａ等を可視光によって照明することから、暗室条件下においても使用者がそれらの機構を目視確認することができる。従って、暗室条件下でハンドル等の位置を手探りで探している際に誤って顕微鏡本体１０に触れることで標本の位置自体がずれてしまうといった事態を防ぐことができ、使用者がハンドル６や補正環２ａを動かして行う調整作業を円滑に実施することを可能とする。
【００２９】
また、補助照明装置１が出力する補助照明光は、光検出器４で検出されない。即ち、補助照明装置１を有する構成によれば、標本Ｓから発生する光以外の光を排除した状態を実現することができるため、生物発光のように微弱光であっても、ノイズ等を抑制して標本Ｓからの光を検出することができる。
【００３０】
また、上述のとおり使用者が目視することで補正環２ａ等の調整を行うことが容易であることから、本発明によれば電動制御される調整機構（電動制御される補正環等）を有する構成ではない、手動で調整を行える安価な装置構成において暗室条件下での観察を十分に行うことが可能である。
【００３１】
以上より、本発明の顕微鏡システム１００によれば、安価な構成で、暗室条件下における顕微鏡本体の調整作業を円滑に実施することができる。
【００３２】
図１に示す補助照明装置１の配置例では、ステージ５下部にも配置され、使用者が標本Ｓの観察に際して触れる機構であり、対物レンズ２に対する標本Ｓの位置合わせを行う機構であるハンドル１３を補助照明光で照明してもよい。また、ハンドル６、１３、補正環２ａに限らず顕微鏡本体１０の各要素を照明するための補助照明装置が配置されてもよい。顕微鏡本体１０の各要素を照明することで、調整作業等で暗室条件下において使用者が顕微鏡本体と誤って触れてしまう等のリスクを軽減することができる。
【００３３】
以下、図３を用いて補助照明装置１の構成例について説明する。
【００３４】
図３は、対物レンズ２に付属する補助照明装置１の構成例を示す図である。補助照明装置１は、対物レンズ２の外回りを囲むように配置可能なドーナツ状の形状を有し、補助照明光を対物レンズ２の光軸に直交する方向（放射方向）及び標本Ｓ面側（補正環２ａ側）に向けて出射する光源１ａを、複数有している。図３の（ａ）は、補助照明装置１を対物レンズに装着している状態を示し、図３の（ｂ）は、（ａ）と異なる方向から補助照明装置１を見た状態を示す。尚、（ｂ）において、補助照明装置１の上部が標本Ｓを照明する側である。また、光源１ａは、導線１３等により外部から補助照明光を出力するための電力を供給される構成であってもよい。図３に示す補助照明装置１によれば、放射方向に補助照明光を出射するように配置された光源１ａによって対物レンズ２の位置及びその周囲を使用者が目視可能にするとともに、標本Ｓ面側に向けて補助照明光を出射するように配置された光源１ａによって補正環２ａや標本Ｓの配置を使用者が目視可能とすることができる。
【００３５】
図４は、補助照明装置１の別の構成例を示す図である。補助照明装置１は、リング状のフィルタ１４であり、位置毎に波長帯域の異なる複数のフィルタ（フィルタ１４ａ、１４ｂ、１４ｃ）を含むフィルタ１４と、光源１５とからなり、フィルタ１４を通した光源１５からの光を出射するものである。各フィルタ（フィルタ１４ａ、１４ｂ、１４ｃ）は、それぞれ異なるある波長域の光を透過しそれ以外の波長の光を除外する。図４に示す補助照明装置１では、光源１５の位置に対しフィルタ１４を回転させることで、光源１５の上に配置されるフィルタの種類がフィルタ１４ａから１４ｃの間で切り替わり、透過させる波長域（補助照明光として出射する光の波長域）を選択することができる。
【００３６】
第１の実施形態の変形例として、顕微鏡本体１０の光学系３は、図５のような構成を有していてもよい。
【００３７】
図５の構成に係る顕微鏡本体１０の光学系３は、特定の波長域の光を光路上から除外する波長選択フィルタ８を有している。波長選択フィルタ８は、補助照明光の波長域を含む光を除外する。このような構成によっても、補助照明光が散乱等により対物レンズ２により取り込まれた場合に、光検出器４で検出されることを防ぐことができる。従って、第１の実施形態と同様に、暗室条件下における顕微鏡本体の調整作業を円滑に実施するという効果を奏するものである。尚、本変形例においては、波長選択フィルタ８において補助照明光が除外されるため、補助照明光の波長域が光検出器４の検出波長域に含まれていても構わない。
【００３８】
以下、第２の実施形態における顕微鏡システム２００について説明する。図６は、顕微鏡システム２００の構成を示す図である。顕微鏡システム２００は、顕微鏡本体１０の代わりに顕微鏡本体２０を備えている点が顕微鏡システム１００と異なっている。また、顕微鏡システム２００の観察対象の標本Ｓは、蛍光を発する標本である。
【００３９】
顕微鏡本体２０は、光学系３の代わりに光学系２２を有し、さらに光源９を有している点で顕微鏡本体１０と異なるがそれ以外の構成については同様である。図７は、光学系２２の構成を示す図であり、光学系２２は、ダイクロイックミラー２１、対物レンズ２、結像レンズ７を有している。
【００４０】
光源９は、標本Ｓから蛍光を発生させるための照明光（励起光）を出力する。ダイクロイックミラー２１は、光源９からの照明光を反射し、標本Ｓからの蛍光を透過する。光源９が出力した光は、ダイクロイックミラー２１を反射し、標本Ｓへ照射される。標本Ｓから発生した光は、対物レンズ２、ダイクロイックミラー２１、結像レンズ７を介して光検出器４で検出される。即ち、光源９、ダイクロイックミラー２１、対物レンズ２を含む顕微鏡本体２０は、標本Ｓを照明光により照明する照明装置として機能する。
【００４１】
また、光源９が出力する照明光は、光検出器４の検出波長域外の波長域の光である。即ち、対物レンズ２が標本Ｓを照明光により照明することによって、その照明光が散乱等により対物レンズ２により取り込まれたとしても、光検出器４で検出されることがない。例えば、光源９及び補助照明装置１として４４０ｎｍ未満の波長帯域を有する補助照明光を出力するＬＥＤが用いられ、光検出器４として４４０ｎｍ以下に受光感度のないイメージセンサが用いられる。
【００４２】
以上のような、標本Ｓに励起光を照射することで発生する蛍光を検出する一光子励起顕微鏡である顕微鏡本体２０を用いた顕微鏡システム２００においても、補助照明装置１により使用者が触れる各構成（ハンドル６や補正環２ａ）を照明することで、暗室条件下での調整作業を円滑に実施することを可能とする。特に励起用の照明光を用いる場合であっても、光源９が、補助照明光と同様に光検出器４の検出波長域外の照明光を出力するものであれば、照明光がノイズとして画像に出現してしまうことを防ぐことが可能である。
【００４３】
第２の実施形態の変形例として、顕微鏡本体２０の光学系２２は、図８のような構成を有していてもよい。
【００４４】
図８の構成に係る顕微鏡本体２０の光学系２２は、特定の波長域の光を光路上から除外する波長選択フィルタ２３を有している。波長選択フィルタ２３は、第１の実施形態の変形例で説明した図５で示すものと同様に補助照明光の波長域を含む光を除外し、さらに、光源９が出力する照明光（励起光）の波長域を含む光を除外する。このような構成によっても、補助照明光や照明光が散乱等により対物レンズ２により取り込まれた場合に、光検出器４で検出されることを防ぐことができる。尚、本変形例においては、波長選択フィルタ２３において補助照明光と照明光が除外されるため、補助照明光と照明光の波長域が光検出器４の検出波長域に含まれていても構わない。
【００４５】
また、波長選択フィルタ２３は、補助照明光の波長域を含む光を除外し、照明光（励起光）が光検出器４の検出波長域外の波長域の光であるような構成としてもよい。逆に、波長選択フィルタ２３は、照明光（励起光）の波長域を含む光を除外し、補助照明光が光検出器４の検出波長域外の波長域の光であるような構成としてもよい。
【００４６】
以下、第３の実施形態における顕微鏡システム３００について説明する。図９は、顕微鏡システム３００の構成を示す図である。顕微鏡システム３００は、顕微鏡本体１０の代わりに顕微鏡本体３０と、ハンドル４０、制御装置４１、モニタ４２、補助照明装置１を備えている。また、顕微鏡システム３００の観察対象の標本Ｓは、蛍光を発する標本である。
【００４７】
顕微鏡本体３０は、光源ユニット３１、対物レンズ３６を含む光学系４５、光検出器３９、ステージ５、ハンドル１３を有している。図１０は、光学系４５の構成を示す図であり、光学系４５は、ガルバノミラー３２、レンズ３３、３４、ダイクロイックミラー３５、対物レンズ３６、レンズ３７、３８を含む。
【００４８】
補助照明装置１は、第１の実施形態における顕微鏡システム１００で説明した構成と同様である。ハンドル４０は、顕微鏡システム１００のハンドル６と同様に、対物レンズとステージとの相対的な位置を変更する位置調整機構として働くものであるが、本構成では、ハンドル４０が回転等をすると、制御装置４１による制御によって対物レンズ３６が光軸方向に駆動し移動を行う。また、対物レンズ３６は、顕微鏡システム１００で示した補正環２ａのように補正環を付属するものである。
【００４９】
光源ユニット３１は、超短パルス光である照明光を出力し、ガルバノミラー３２へその照明光を導光する。
【００５０】
ガルバノミラー３２は、照明光を反射する角度を変更することで、照明光を走査する走査ユニットである。
【００５１】
ダイクロイックミラー３５は、光源ユニット３１が出力する照明光を透過し、標本Ｓから発生する蛍光を反射させる。
【００５２】
以上の構成において、光源ユニット３１から導光される照明光は、ガルバノミラー３２、レンズ３３、３４、ダイクロイックミラー３５、対物レンズ３６を介して標本Ｓへ照射される。また、超短パルス光である照明光が標本Ｓへ照射されると、二光子吸収過程が起こり、標本Ｓから蛍光が発生する。その蛍光は、対物レンズ３６、ダイクロイックミラー３５、レンズ３７、３８を介して光検出器３９へ導光される。光検出器３９で検出した光情報は、制御装置４１で画像処理され、モニタ４２へ表示される。
【００５３】
また、光源ユニット３１が出力する照明光は、光検出器３９の検出波長域外の波長域の光である。即ち、対物レンズ３６が標本Ｓを照明光により照明することによって、その照明光が散乱等により対物レンズ３６により取り込まれたとしても、光検出器３９で検出されることがない。例えば、光源ユニット３１内で６８０ｎｍよりも大きい波長帯域において発振され、８００ｎｍにピークをもつ超短パルス光を出力するレーザ光源が用いられ、補助照明装置１として６９０ｎｍ以上の波長帯域を有する補助照明光を出力するＬＥＤが用いられ、光検出器３９として６８０ｎｍ以上に受光感度のない光電子増倍管（ＧａＡｓＰ等）が用いられる。
【００５４】
以上のような、標本Ｓに励起光を照射して蛍光を検出する二光子励起顕微鏡である顕微鏡本体３０を用いた顕微鏡システム３００においても、補助照明装置１により使用者が触れる各構成（ハンドル４０や補正環）を照明することで、暗室条件下での調整作業を円滑に実施することを可能とする。特に励起用の照明光を用いる場合であっても、補助照明光と同様に光検出器３９の検出波長域外の光を出力するものであれば、それらの光がノイズとして画像に出現してしまうことを防ぐことが可能である。
【００５５】
また、本実施形態では、二光子励起顕微鏡の例を示したが、より長波長に出力がある超短パルスレーザーを使用すれば、三光子励起蛍光顕微鏡も同様な構成で実現できる。
【００５６】
第３の実施形態の変形例として、顕微鏡本体３０の光学系４５は、図１１のような構成を有していてもよい。
【００５７】
図１１の構成に係る顕微鏡本体３０の光学系４５は、特定の波長域の光を光路上から除外する波長選択フィルタ４２を有している。波長選択フィルタ４２は、第１の実施形態の変形例で説明した図５で示すものと同様に補助照明光の波長域を含む光を除外し、さらに、光源ユニット３１が出力する照明光（励起光）の波長域を含む光を除外する。このような構成によっても、補助照明光や照明光が散乱等により対物レンズ３６により取り込まれた場合に、光検出器３９で検出されることを防ぐことができる。尚、本変形例においては、波長選択フィルタ８により補助照明光と照明光が除外されるため、補助照明光と照明光の波長域が光検出器３９の検出波長域に含まれていても構わない。
【００５８】
また、波長選択フィルタ４２は、補助照明光の波長域を含む光を除外し、照明光（励起光）が光検出器３９の検出波長域外の波長域の光であるような構成としてもよい。逆に、波長選択フィルタ４２は、照明光（励起光）の波長域を含む光を除外し、補助照明光が光検出器３９の検出波長域外の波長域の光であるような構成としてもよい。
【００５９】
また、第２の実施形態と第３の実施形態において、出力される補助照明光と照明光（励起光）の波長域は、互いに一部重なっていてもよい。波長選択フィルタや光検出器で除外される波長域が、離れておらず連続していることで、単純に一波長域を除外すればよいことから一般的に普及する波長選択フィルタや光検出器から選択し易い。
【００６０】
例えば、図４に示されるようなリング状のフィルタ１４を有する補助照明装置１が用いられる場合、照明光の波長の切替に応じてフィルタ１４が回転して補助照明光の波長が切り替わってもよい。その際、補助照明光と照明光（励起光）の波長域が互いに一部重なるように、照明光の波長の切替に応じてフィルタ１４が回転する構成とすれば、上述の効果を奏する。
【００６１】
上述した実施形態は、発明の理解を容易にするために具体例を示したものであり、本発明はこれらの実施形態に限定されるものではない。上述した顕微鏡システムは、特許請求の範囲に記載した本発明を逸脱しない範囲において、さまざまな変形、変更が可能である。
【符号の説明】
【００６２】
１００、２００、３００                顕微鏡システム
１                      補助照明装置
２、３６                対物レンズ
３、２２、４５          光学系
４、３９                光検出器
５                      ステージ
６、１３、４０          ハンドル
７                      結像レンズ
８、２３、４２          波長選択フィルタ
９、１５                光源
１０、２０、３０        顕微鏡本体
１１、４１              制御装置
１２、４２              モニタ
１３                    導線
１４                    フィルタ
２１、３５              ダイクロイックミラー
３１                    照明ユニット
３２                    ガルバノミラー
３３、３４、３７、３８  レンズ
Ｓ                      標本
【図１】
2018205655.tif 000003
【図２】
2018205655.tif 000004
【図３】
2018205655.tif 000005
【図４】
2018205655.tif 000006
【図５】
2018205655.tif 000007
【図６】
2018205655.tif 000008
【図７】
2018205655.tif 000009
【図８】
2018205655.tif 000010
【図９】
2018205655.tif 000011
【図１０】
2018205655.tif 000012
【図１１】
2018205655.tif 000013